(57)【要約】【課題】アルカリ性水と酸性水とを混合しても、それぞれの効果を維持しつつ、マイクロナノバブルの効果も得ることができることにより、高い洗浄殺菌効果と、高い治療効果が得られる多目的入浴兼治療装置を提供する。【解決手段】多目的入浴兼治療装置１０は、水道水から酸性水およびアルカリ性水を生成する電解水生成装置１２と、酸性水に、マイクロナノバブルとした水素ガスを混合して、微細気泡酸性水として送水する第１微細気泡混合器１３と、アルカリ性水に、マイクロナノバブルとした炭酸ガスを混合して、微細気泡アルカリ性水として送水する第２微細気泡混合器１４と、第１微細気泡混合器１３からの微細気泡酸性水と第２微細気泡混合器１４からの微細気泡アルカリ性水とを混合して、微細気泡混合電解水とする混合器１５とを備えている。この微細気泡混合電解水を浴槽１０ａに吐出して、顔や肌を洗浄することができる。【選択図】図１
2015213569.tif 000002
【特許請求の範囲】
【請求項１】
微細気泡混合電解水を生成する電解水マイクロナノバブル生成装置と、この微細気泡混合電解水を貯留する浴槽とを備え、
前記電解水マイクロナノバブル生成装置は、
原水から酸性水およびアルカリ性水を生成する電解水生成装置と、
前記電解水生成装置からの酸性水にマイクロナノバブルを混合して微細気泡酸性水として送水する第１微細気泡混合器と、
前記電解水生成装置からのアルカリ性水にマイクロナノバブルを混合して微細気泡アルカリ性水として送水する第２微細気泡混合器と、
前記第１微細気泡混合器からの微細気泡酸性水と前記第２微細気泡混合器からの微細気泡アルカリ性水とを混合して、微細気泡混合電解水とする混合器とを備えたことを特徴とする多目的入浴兼治療装置。
【請求項２】
前記第１微細気泡混合器は、マイクロナノバブルとして水素ガスを、酸性水に混合する請求項１記載の多目的入浴兼治療装置。
【請求項３】
前記第２微細気泡混合器は、マイクロナノバブルとして炭酸ガスを、アルカリ性水に混合する請求項１記載の多目的入浴兼治療装置。
【請求項４】
前記浴槽は、前記混合器からの微細気泡混合電解水を、下部から吐出させ、オーバーフローさせる請求項１から３のいずれかの項に記載の多目的入浴兼治療装置。
【請求項５】
前記浴槽に、前記電解水マイクロナノバブル生成装置からの微細気泡混合電解水を吐出する洗浄器具が設けられている請求項１から４のいずれかの項に記載の多目的入浴兼治療装置。
【請求項６】
前記洗浄器具は、微細気泡混合電解水を吐出する吐出通水路と、前記吐出通水路から吐出された微細気泡混合電解水を吸引して排水する排水用通水路と、前記吐出通水路および前記排水用通水路とを囲い、被洗浄部に密着するシール部と備えた請求項５記載の多目的入浴兼治療装置。
【請求項７】
前記浴槽に、芳香剤を含有したミストを噴霧するマイクロミスト発生器が設けられている請求項１から５のいずれかの項に記載の多目的入浴兼治療装置。
【発明の詳細な説明】
【技術分野】
【０００１】
本発明は、電解水にマイクロバブルやナノバブル（以下、マイクロナノバブルと称する。）を混合させ、浴槽に貯留して、利用者の洗浄や殺菌、治療を図る多目的入浴兼治療装置に関するものである。
【背景技術】
【０００２】
マイクロナノバブルは、気泡が微細であるため、液中の滞在時間が長く、自己圧壊作用により殺菌効果がある。このマイクロバブルを含む温水を浴槽に貯留したものが知られている（例えば、特許文献１参照）。
この特許文献１に記載の「人工療養泉製造装置」は、炭酸ガスが供給された水中ポンプ型マイクロナノバブル発生機が、バブル発生部容器に導入された温水に、炭酸ガスマイクロナノバブルを含有させ、更に、ラジウム鉱石層によって炭酸ガスマイクロナノバブルを含有する温水にラドンも含有させて、ラドン炭酸ガスマイクロナノバブル含有温水を生成し、浴槽に貯留される。
一方、水は、電解水として、酸性水とアルカリ性水とに分解して使用されることがある。この場合、酸性水は、殺菌効果があるため殺菌洗浄水として使用される。また、アルカリ性水は、調理水として使用されたり、界面活性剤としての効果を利用した産業用洗浄水として使用されたりする。家庭用として使用される電解水を生成する機能を有する浄水器では、アルカリ性水のみを使用して、酸性水は活用方法がないため捨てられている。
このように使用されている電解水と、マイクロナノバブルとを混合した装置が、特許文献２として知られている。
【０００３】
特許文献２に記載の「洗浄装置」は、アルカリ性水と酸性水を生成する電解水生成装置と、生成したアルカリ性水と酸性水を入れる容器と、アルカリ性水を送水するアルカリ水ラインおよび酸性水を送水する酸性水ラインと、それぞれの電解水を送水するポンプ以降で合流させた下流側に設けられたバブル発生器と、末端の噴射部に設けられたノズルとを備え、トイレの清掃や食品、食品加工機械などの洗浄においては、アルカリ性水にて洗浄した後、酸性水を用いて除菌作業をして、これらをさらに清潔に保つことを可能としたものである。
【先行技術文献】
【特許文献】
【０００４】
【特許文献１】特開２０１０−１９０号公報
【特許文献２】特開２０１３−１８８７３２号公報
【発明の概要】
【発明が解決しようとする課題】
【０００５】
しかし、特許文献２に記載の洗浄装置では、バブル発生器からのマイクロバブルを添加したアルカリ性水にて洗浄した後、酸性水を用いて殺菌作業をしているため、利用者の作業としては２度手間である。アルカリ性水と酸性水を混合して洗浄水としてマイクロバブルを添加して洗浄に用いれば、一度の作業で済むが、アルカリ性水と酸性水を混合すると、中和してしまい、アルカリ性水と酸性水とのそれぞれの効果が得られない。
【０００６】
そこで本発明は、アルカリ性水と酸性水とを混合しても、それぞれの効果を維持しつつ、マイクロナノバブルの効果も得ることができることにより、高い洗浄殺菌効果と、高い治療効果が得られる多目的入浴兼治療装置を提供することを目的とする。
【課題を解決するための手段】
【０００７】
本発明の多目的入浴兼治療装置は、微細気泡混合電解水を生成する電解水マイクロナノバブル生成装置と、この微細気泡混合電解水を貯留する浴槽とを備え、前記電解水マイクロナノバブル生成装置は、原水から酸性水およびアルカリ性水を生成する電解水生成装置と、前記電解水生成装置からの酸性水にマイクロナノバブルを混合して微細気泡酸性水として送水する第１微細気泡混合器と、前記電解水生成装置からのアルカリ性水にマイクロナノバブルを混合して微細気泡アルカリ性水として送水する第２微細気泡混合器と、前記第１微細気泡混合器からの微細気泡酸性水と前記第２微細気泡混合器からの微細気泡アルカリ性水とを混合して、微細気泡混合電解水とする混合器とを備えたことを特徴とする。
【０００８】
本発明の多目的入浴兼治療装置によれば、酸性水とアルカリ性水とを混合しても、マイクロナノバブルが酸性水とアルカリ性水とのそれぞれに混合されているため、マイクロナノバブルがマイナス電位を有することで、マイクロナノバブルが反発し合い、結合しない。従って、酸性水によって包囲されたマイクロナノバブルが酸性としての機能を有し、アルカリ性水によって包囲されたマイクロナノバブルがアルカリ性としての機能を有するため、それぞれの効果を維持することができる。
【０００９】
前記第１微細気泡混合器は、マイクロナノバブルとして水素ガスを、酸性水に混合するのが望ましい。第１微細気泡混合器が、酸性水に、水素ガスをマイクロナノバブルとして混合することで、ウィルスや菌をマイナス電位の力で吸着し、死滅させたり、不活性化したりすることができるので、酸性水との相乗効果を得ることができる。
【００１０】
前記第２微細気泡混合器は、マイクロナノバブルとして炭酸ガスを、アルカリ性水に混合するのが望ましい。第２微細気泡混合器が、アルカリ性水に、炭酸ガスをマイクロナノバブルとして混合することで、界面活性効果が得られるアルカリ性水と、浸透力の高い炭酸ガスのマイクロナノバブルとにより、頑固な汚れも簡単に浸透して浮かせ、水中に分散させることができるので、アルカリ性水との相乗効果を得ることができる。
【００１１】
汚れを吸着したそれぞれのマイクロナノバブルが結合して大きな気泡になりながら浮上し、液面で破裂して汚れが分離されるが、前記混合器からの微細気泡混合電解水を、下部から吐出させ、オーバーフローさせる貯留容器を備えていれば、オーバーフローした微細気泡混合電解水と共に、汚れを排出することができる。従って、貯留容器内の微細気泡混合電解水に汚れが蓄積することを抑えることができるので、清潔な状態を保ちながら、洗浄を継続することができる。
【００１２】
前記浴槽に、前記電解水マイクロナノバブル生成装置からの微細気泡混合電解水を吐出する洗浄器具が設けられていると、利用者の細部の洗浄殺菌を効果的に行うことができる。
【００１３】
前記洗浄器具は、微細気泡混合電解水を吐出する吐出通水路と、前記吐出通水路から吐出された微細気泡混合電解水を吸引して排水する排水用通水路と、前記吐出通水路および前記排水用通水路とを囲い、被洗浄部に密着するシール部と備えているのが望ましい。
吐出通水路から吐出された微細気泡混合電解水はシール部によって外部に漏れ出ることなく、排水用通水路から吸引されて排水される。従って、利用者の洗浄殺菌に当たって、利用者の周囲が水浸しになることが防止できる。
【００１４】
前記浴槽に、芳香剤を含有したミストを噴霧するマイクロミスト発生器が設けられていると、リラックス気分で入浴しながら、洗浄殺菌を行うことができる。
【発明の効果】
【００１５】
本発明は、アルカリ性水と酸性水とを混合しても、酸性とアルカリ性のそれぞれの効果を維持することができることにより、それぞれの効果を維持しつつ、マイクロナノバブルの効果も得ることができるので、微細気泡混合電解水を浴槽に溜めて入浴すると、利用者全身の洗浄および殺菌に効果を発揮させることができ、全身にアストリンゼン効果を与えることができ、更に、高い治療効果が得られる。
【図面の簡単な説明】
【００１６】
【図１】本発明の実施の形態１に係る電解水マイクロナノバブル生成装置を備えた多目的入浴兼治療装置を示す図である。
【図２】図１に示す多目的入浴兼治療装置の電解水マイクロナノバブル生成装置に用いられる微細化器を示す図であり、（Ａ）は透視状態の左側面図、（Ｂ）は透視状態の正面図、（Ｃ）は透視状態の右側面図である。
【図３】本発明の実施の形態２に係る電解水マイクロナノバブル生成装置を備えた多目的入浴兼治療装置を示す図である。
【図４】図３に示す多目的入浴兼治療装置の浴槽に設けられた洗顔洗髪器具の図であり、（Ａ）は側面図、（Ｂ）は平面図である。
【図５】図４に示す洗顔洗髪器具の内部構造および使用状態を説明するための図であり、（Ａ）は微細気泡混合電解水が吐出される状態の断面図、（Ｂ）は洗浄汚水が吸引される状態の断面図である。
【図６】図３に示す多目的入浴兼治療装置の浴槽に設けられた口腔洗浄器具の図であり、（Ａ）は側面図、（Ｂ）は平面図である。
【図７】図６に示す口腔洗浄器具の内部構造および使用状態を説明するための図であり、（Ａ）は微細気泡混合電解水が吐出される状態の断面図、（Ｂ）は洗浄汚水が吸引される状態の断面図である。
【発明を実施するための形態】
【００１７】
（実施の形態１）
本発明の実施の形態１に係る電解水マイクロナノバブル生成装置を備えた多目的入浴兼治療装置を図面に基づいて説明する。なお、本明細書では、マイクロナノバブルを混合した電解水を微細気泡混合電解水と称して説明する。
本実施の形態１に係る多目的入浴兼治療装置１０は、図１に示すように、貯留容器である浴槽１０ａに、シャワーヘッドＢ１から、電解水マイクロナノバブル生成装置からの微細気泡混合電解水が供給される。
【００１８】
多目的入浴兼治療装置１０は、原水である水道水を自動弁Ｖ１と浄水器１１を介して取り入れ、水道水を酸性水とアルカリ性水とに電解する電解水生成装置１２を備えている。
また、電解水生成装置１２には、電解を促進させて、強力殺菌を行うときには、食塩を取り入れるための調整弁Ｖ２が接続されている。
電解水生成装置１２の酸性水を送水する配管には、第１微細気泡混合器１３が接続されている。また、電解水生成装置１２のアルカリ性水を送水する配管には、第２微細気泡混合器１４が接続されている。
【００１９】
第１微細気泡混合器１３は、ボンベ（図示せず）に充填された水素ガスをマイクロバブルにして、電解水生成装置１２からの酸性水に混合する第１気液混合器１３ａと、酸性水に混合された水素ガスの気泡をナノバブルのサイズまで細かくする第１微細化器１３ｂと、第１微細化器１３ｂから微細気泡酸性水として送水する第１ポンプ１３ｃとを備えている。
【００２０】
第２微細気泡混合器１４は、ボンベ（図示せず）に充填された炭酸ガスをマイクロバブルにして、電解水生成装置１２からのアルカリ性水に混合する第２気液混合器１４ａと、アルカリ性水に混合された炭酸ガスの気泡をナノバブルのサイズまで細かくする第２微細化器１４ｂと、第２微細化器１４ｂから微細気泡アルカリ性水として送水する第２ポンプ１４ｃとを備えている。
【００２１】
ここで、第１微細化器１３ｂと第２微細化器１４ｂ（以下、微細化器１００と称す。）とは、図２（Ａ）から図２（Ｃ）に示すようにものが使用できる。
図２（Ａ）から図２（Ｃ）に示すように微細化器１００は、直方体状の本体部１１０内に流路１２０が形成されている。
【００２２】
流路１２０は、本体部１１０の側面１１１に開口部を向けた漏斗状の流入部１２１と、略円柱状に形成された撹拌部１３０の周囲を旋回する螺旋部１２２と、撹拌部１３０の直径が流出方向に向かって小さくなる縮径壁１２３ａと円錐部１２３ｂとの間の空間である導水部１２３と、微細化器１００から微細化された気泡を含有した液体を噴射するラッパ状の流出部１２４とを備えている。
【００２３】
撹拌部１３０は、軸部１３１と、ガイド壁１３２と、突起部１３３とを備えている。
軸部１３１は、撹拌部１３０の軸線に沿って配置されている。本実施の形態では、軸部１３１は、断面が十二角形に形成されているが、円形としたり、他の多角形としたりすることができる。
ガイド壁１３２は、マイクロバブルサイズの気泡を含有した液体を、軸部１３１の周囲面を螺旋状に案内する。突起部１３３は、軸部１３１から放射状に突出して、ガイド壁１３２に沿って流れるマイクロバブルサイズの気泡を衝突させ、気泡を粉砕して微細化する。本実施の形態では、突起部１３３は、ねじにより形成されている。
【００２４】
マイクロバブルサイズの気泡を含有した液体が、流入部１２１から微細化器１００内に入ると、撹拌部１３０の螺旋部１２２を螺旋状に流れる。マイクロバブルが撹拌部１３０の突起部１３３の衝突する度に、気泡が粉砕されて微細化され、ナノバブルサイズとなる。ガイド壁１３２が螺旋状に形成されていることで、螺旋部１２２の流路を長くすることができるため、突起部１３３への衝突機会を多く取ることができる。
ナノバブルサイズを多く含む気泡（マイクロナノバブル）を含有した液体は、導水部１２３により流出部１２４へ導かれ、流出部１２４から外部へ流れ出る。
【００２５】
このようにして、第１気液混合器１３ａに接続された第１微細化器１３ｂにより微細気泡酸性水を生成することができ、第２気液混合器１４ａに接続された第２微細化器１４ｂにより微細気泡アルカリ性水を生成することができる。
【００２６】
図１に示すように、第２ポンプ１４ｃには、自動弁Ｖ３と、自動弁Ｖ４とが接続されており、自動弁Ｖ３には蛇口Ｂ２が接続され、自動弁Ｖ４には混合器１５が接続されている。混合器１５は、第１ポンプ１３ｃが接続されている。
【００２７】
蛇口Ｂ２からは、電解水生成装置１２からのアルカリ性水に、第２微細気泡混合器１４によりマイクロナノバブルを混合した微細気泡アルカリ性水を浴槽１０ａに吐出させることができるので、利用者は蛇口Ｂ２からの微細気泡アルカリ性水を、飲用としたり、うがい用としたりして使用することができる。
【００２８】
混合器１５は、第１ポンプ１３ｃからの微細気泡酸性水と、第２ポンプ１４ｃからの微細気泡アルカリ性水とを混合する。
混合器１５は、シャワーヘッドＢ１に接続された自動弁Ｖ５と、浴槽１０ａの下部の給水排水管１６に接続された自動弁Ｖ６とに接続されている。
【００２９】
混合器１５では、微細気泡酸性水と微細気泡アルカリ性水とが混合される。従って、シャワーヘッドＢ１からは、微細気泡酸性水と微細気泡アルカリ性水とが混合した微細気泡混合電解水を吐出させることができる。また、給水排水管１６により、浴槽１０ａの下部から微細気泡混合電解水を吐出させ、微細気泡混合電解水により浴槽１０ａを満たすことができる。また、シャワーヘッドＢ１から噴出させた微細気泡混合電解水により浴槽１０ａを満たすことができる。
浴槽１０ａを満たし、溢れた微細気泡混合電解水は、浴槽１０ａからオーバーフローして浴槽１０ａに設けられた排水管に介して排水口に排水される。
また、浴槽１０ａを満たした微細気泡混合電解水は、自動弁Ｖ７を介して排水することができる。
【００３０】
微細気泡酸性水と微細気泡アルカリ性水とを混合した微細気泡混合電解水は、マイクロナノバブルが酸性水とアルカリ性水とのそれぞれに混合されているため、マイクロナノバブルがマイナス電位を有することで、マイクロナノバブルが反発し合い、結合しない。従って、酸性水とアルカリ性水との大部分は中和するが、酸性水によって包囲されたマイクロナノバブルが酸性としての機能を有し、アルカリ性水によって包囲されたマイクロナノバブルがアルカリ性としての機能を有するため、それぞれの効果を維持することができる。よって、微細気泡混合電解水を使用して、洗浄や殺菌、飲用などを行うことにより、一回の作業で、酸性とアルカリ性との効果を同時に得ることができる。これにより、本実施の形態１に係る多目的入浴兼治療装置１０は、アルカリ性水と酸性水とを混合しても、それぞれの効果を維持しつつ、マイクロナノバブルの効果も得ることができことにより、高い洗浄殺菌効果と、高い治療効果が得られる。
【００３１】
酸性水の効果は、ウィルスや細菌を殺菌することができる。水素ガスをマイクロナノバブルとした効果は、ウィルスや細菌を、器具や肌などの被洗浄物から剥離分散させることができる。従って、酸性水に水素ガスのマイクロナノバブルが混合した微細気泡酸性水は、水中に分散していたり、被洗浄物に付着したりするウィルスや細菌を、水素ガスのマイクロナノバブルのマイナス電位により吸着し、死滅させたり、不活性化したりすることができる。
また、微細気泡酸性水は、洗顔などにより肌に触れることで、肌を引き締める化粧水のようなアストリンゼン効果（収斂効果）を得ることができる。
【００３２】
アルカリ性水の効果は、疎水基による界面活性機能により油膜等の汚れを浮かせ、包み込んで水中に分散させることができる。また、アルカリ性水は、アトピー性皮膚炎や糖尿病が改善すると言われている。炭素ガスをマイクロナノバブルとした効果は、汚れに対する浸透力が高く、頑固な汚れにも簡単に被洗浄物と汚れとの間に浸透して浮かせることができる。
従って、アルカリ性水に炭酸ガスのマイクロナノバブルが混合した微細気泡アルカリ性水は、アルカリ性水の汚れを浮かせる効果を、炭素ガスのマイクロナノバブルより更に増加させることができる。
また、アルカリ性水にマイクロナノバブルを混合した微細気泡アルカリ性水を蛇口Ｂ２から飲用として体内に取り込むことで、胃腸症が改善すると言われている。また、微細気泡アルカリ性水をうがい用とすることで、口腔内を殺菌することができる。
【００３３】
また、浴槽１０ａでは、給水排水管１６により、浴槽１０ａの下部から微細気泡混合電解水を吐出させているため、汚れを吸着したそれぞれのマイクロナノバブルが結合して大きな気泡になりながら浮上し、液面で破裂して汚れが分離される。この汚れは、オーバーフローした微細気泡混合電解水と共に、排水口に排出されるので、浴槽１０ａの微細気泡混合電解水に汚れが蓄積することを抑えることができるため、浴槽１０ａ内の微細気泡混合電解水を、清潔な状態を保ちながら、洗浄を継続することができる。従って、仕上げ洗浄を不要とすることができる。
【００３４】
（実施の形態２）
本発明の実施の形態２に係る電解水マイクロナノバブル生成装置を備えた多目的入浴兼治療装置を、図面に基づいて説明する。なお、図３においては、図１と同じ構成のものは同符号を付して説明を省略する。
本実施の形態２に係る多目的入浴兼治療装置は、利用者となる要介護者が入浴するための浴槽（以下、介護用浴槽と略す。）を備え、介護施設、医療機関などに設置される。
【００３５】
図３に示す多目的入浴兼治療装置１０ｘは、貯留容器である介護用浴槽１０ｂに、昇降式ストレッチャー１０ｃが設けられている。この介護用浴槽１０ｂには、微細気泡混合電解水が供給される。
微細気泡混合電解水は、第１微細気泡混合器１３からの微細気泡酸性水と、第２微細気泡混合器１４から自動三方弁Ｖ８を介して流れる微細気泡アルカリ性水とが合流した後に、ヒーター１７により加熱され、自動弁Ｖ９を介して介護用浴槽１０ｂに供給される。
また、自動三方弁Ｖ８を介して流れる微細気泡アルカリ性水は、第１微細気泡混合器１３から自動弁Ｖ１０を介して流れる微細気泡酸性水と合流して、微細気泡混合電解水となって、蛇口Ｂ２から介護用浴槽１０ｂへ吐出される。
【００３６】
この介護用浴槽１０ｂには、排水を殺菌するオゾン発生装置１８１と、ろ過式浴槽保温装置１８２と、自動弁Ｖ１１とが循環管路Ｃ１により接続されている。
また、この循環管路Ｃ１には、自動弁Ｖ１２とポンプＰ１とを介してマイナスイオン発生器１９１が接続されている。
【００３７】
マイナスイオン発生器１９１には、介護用浴槽１０ｂを覆うカバー１０ｄからの配管が接続されていると共に、介護用浴槽１０ｂからオゾン発生装置１８１への配管に接続されている。また、マイナスイオン発生器１９１は、気液分離器１９２を介して液体分が、介護用浴槽１０ｂからオゾン発生装置１８１への配管に接続されている。
気液分離器１９２の気体分は、ポンプＰ２と、マイクロミスト発生器１９３と、ヒーター１９４とを介して、カバー１０ｄに接続されている。
【００３８】
従って、カバー１０ｄ内に吐出されるマイクロミストは、カバー１０ｄ内からマイナスイオン発生器１９１に戻ると、マイナスイオン発生器１９１、気液分離器１９２、ポンプＰ２、マイクロミスト発生器１９３、ヒーター１９４を介してカバー１０ｄ内へ、循環管路Ｃ２により巡回する。
マイクロミスト発生器１９３は、酸素が格納された酸素タンクと、芳香剤が格納されたアロマタンクとが設けられ、酸素と芳香剤とを含有した液体を霧状にしたミストを噴き出す噴霧装置である。
【００３９】
ろ過式浴槽保温装置１８２は、自動弁Ｖ１３を介して排水口Ｄに接続されている。この排水口Ｄには、水道水から引き込まれた配管が自動弁Ｖ１４とアスピレータ２２０を介して接続されている。
このアスピレータ２２０は、水道水により減圧を発生させ、洗顔洗髪器具２００に自動弁Ｖ１５を介して接続されると共に、口腔洗浄器具２１０に自動弁Ｖ１６を介して接続されている。
【００４０】
ここで、要介護者を洗浄殺菌する洗浄器具である洗顔洗髪器具２００と、口腔洗浄器具２１０について、図面に基づいて説明する。
図４（Ａ）および同図（Ｂ）に示すように、洗顔洗髪器具２００には、ヒーター１７により加熱された微細気泡混合電解水が供給される配管が、自動三方弁Ｖ１７を介して接続されている。
図４(Ａ）および同図（Ｂ）に示すように、洗顔洗髪器具２００は、介護者が手に持つ把持部２０１と、要介護者の頭部に当てるヘッダ部２０２と、把持部２０１内を通ってヘッダ部２０２に至る第１配管部２０３および第２配管部２０４とを備えている。
第１配管部２０３は、自動三方弁Ｖ１７（図３参照）からの微細気泡混合電解水が、洗浄水として通水する。第２配管部２０４は、洗浄汚水を、図３に示す自動弁Ｖ１６とアスピレータ２２０とを介して排水口Ｄへ流す。
【００４１】
図４および図５に示すように、ヘッダ部２０２は、第１配管部２０３および第２配管部２０４が接続されたヘッダ本体部２０２ａと、ヘッダ本体部２０２ａの前面に設けられた筒部２０２ｂと、要介護者の頭部（被洗浄部）に密着させるためのシール部２０２ｃとを備えている。
筒部２０２ｂは、第１配管部２０３からの微細気泡混合電解水を吐出する吐出用通水路２０２ｄが軸心位置に形成され、排水を吸引して第２配管部２０４へ流す排水用通水路２０２ｅが、吐出用通水路２０２ｄの周囲に形成されている。
シール部２０２ｃは、筒部２０２ｂの周囲を囲うように、徐々に拡がるスカート状に形成されている。シール部２０２ｃは、耐久性の高いフッ素ゴムとすることができるが、他の樹脂製やゴム製とすることができる。
【００４２】
このように形成された洗顔洗髪器具２００は、第１配管部２０３からの微細気泡混合電解水が、筒部２０２ｂの吐出用通水路２０２ｄから要介護者の表皮に吐出されて、表皮を洗浄殺菌する。
そして、洗浄汚水となった洗浄後の微細気泡混合電解水は、シール部２０２ｃ内に囲まれることで、シール部２０２ｃの外部に流れ出ずに、アスピレータ２２０（図３参照）の吸引によって筒部２０２ｂの排水用通水路２０２ｅへ吸い込まれる。そして、洗浄汚水は、排水用通水路２０２ｅから第２配管部２０４へ流れ、図３に示す自動弁Ｖ１４およびアスピレータ２２０を介して排水口Ｄへ排出される。
【００４３】
図３に示すように、口腔洗浄器具２１０は、ヒーター１７により加熱された微細気泡混合電解水が供給される配管が、自動三方弁Ｖ１７を介して接続されている。
口腔洗浄器具２１０は、洗顔洗髪器具２００（図４および図５参照）と同様の構造に形成されている。図６（Ａ）および同図（Ｂ）に示すように、口腔洗浄器具２１０は、介護者が手に持つ把持部２１１と、要介護者の口腔内に挿入されるヘッダ部２１２と、把持部２１１内を通してヘッダ部２１２に至る第１配管部２１３および第２配管部２１４とを備えている。
第１配管部２１３は、自動三方弁Ｖ１７（図３参照）からの微細気泡混合電解水が、洗浄水として通水する。第２配管部２１４は、洗浄汚水を、図３に示す自動弁Ｖ１６とアスピレータ２２０とを介して排水口Ｄへ流す。
【００４４】
図６および図７に示すように、ヘッダ部２１２は、第１配管部２１３および第２配管部２１４が接続されたヘッダ本体部２１２ａと、ヘッダ本体部２１２ａの前面に設けられた筒部２１２ｂと、要介護者の口腔内（被洗浄部）に密着させるためのシール部２１２ｃとを備えている。
筒部２１２ｂは、第１配管部２１３からの微細気泡混合電解水を吐出する吐出用通水路２１２ｄが軸心位置に形成され、排水を吸引して第２配管部２１４へ流す排水用通水路２１２ｅが、吐出用通水路２１２ｄの周囲に形成されている。
シール部２１２ｃは、筒部２１２ｂの周囲を囲うように、徐々に拡がるスカート状に形成されている。シール部２１２ｃは、耐久性の高いフッ素ゴムとすることができるが、他の樹脂製やゴム製とすることができる。
【００４５】
このように形成された口腔洗浄器具２１０は、第１配管部２１３からの微細気泡混合電解水が、筒部２１２ｂの吐出用通水路２１２ｄから要介護者の口腔内に吐出されて、口腔内を洗浄殺菌する。
そして、洗浄汚水となった洗浄後の微細気泡混合電解水は、シール部２１２ｃ内に囲まれることで、シール部２１２ｃの外部に流れ出ずに、アスピレータ２２０（図３参照）の吸引によって筒部２１２ｂの排水用通水路２１２ｅへ吸い込まれる。そして、洗浄汚水は、排水用通水路２１２ｅから第２配管部２１４へ流れ、自動弁Ｖ１６およびアスピレータ２２０を介して排水口Ｄへ排出される。
【００４６】
図３に示す介護施設、医療機関などに設置される多目的入浴兼治療装置１０ｘは、昇降式ストレッチャー１０ｃが設けられた介護用浴槽１０ｂに微細気泡混合電解水を溜めて、要介護者に入浴させることができるので、昇降式ストレッチャー１０ｃにより要介護者を、微細気泡混合電解水を満たした介護用浴槽１０ｂに、容易に入浴させることができる。
【００４７】
また、多目的入浴兼治療装置１０ｘは、要介護者を、微細気泡酸性水と微細気泡アルカリ性水とが混合された微細気泡混合電解水に入浴させることができるので、要介護者の全身の洗浄および殺菌に効果を発揮させることができ、全身にアストリンゼン効果を与えることができる。更に、多目的入浴兼治療装置１０ｘは、要介護者の血行を促進させて、肌を活性化することができる。従って、多目的入浴兼治療装置１０ｘは、自然治癒力を高めることができるため、高い洗浄殺菌効果と、高い治療効果を得ることができる。
【００４８】
また、多目的入浴兼治療装置１０ｘは、微細気泡混合電解水を吐出する、洗顔洗髪器具２００と口腔洗浄器具２１０とを備えているため、要介護者の細部の洗浄と殺菌に効果的であるため、要介護者の状態を衛生的に保つことができる。また、洗顔洗髪器具２００と口腔洗浄器具２１０とは、洗浄した後の微細気泡混合電解水が外部に漏れ出る前に、洗浄汚水として吸引して排水するため、要介護者の周囲が洗浄汚水で水浸しになることを防止することができる。
【００４９】
また、図３に示す介護用浴槽１０ｂでは、実施の形態１と同様に、汚れを吸着したそれぞれのマイクロナノバブルが結合して大きな気泡になりながら浮上し、液面で破裂して汚れが分離されて、循環管路Ｃ１に排出される。そして、介護用浴槽１０ｂからの温水は、オゾン発生装置１８１と、ろ過式浴槽保温装置１８２とにより汚れが除去され、自動弁Ｖ１１を介して介護用浴槽１０ｂへ戻る。従って、介護用浴槽１０ｂでは、介護用浴槽１０ｂ内の微細気泡混合電解水の清潔な状態を保つことができる。
【００５０】
更に、多目的入浴兼治療装置１０ｘは、酸素と芳香剤とを含有したミストを噴き出すマイクロミスト発生器１９３を備えているため、要介護者はリラックス気分で、洗浄殺菌を行うことができる。
このマイクロミスト発生器１９３によるミストは、マイナスイオン発生器１９１からのマイナスイオンを含んだ空気により発生させているので、多目的入浴兼治療装置１０ｘは、精神の安定だけでなく、呼吸器の粘膜に良い影響を与えることで、呼吸器系の治療にも効果を発揮させることができる。
【００５１】
なお、本実施の形態２に係る多目的入浴兼治療装置１０ｘでは、洗顔洗髪器具２００と口腔洗浄器具２１０との両方を備えているが、いずれか一方でもよい。
【産業上の利用可能性】
【００５２】
本発明の多目的入浴兼治療装置は、酸性水とアルカリ性水とのそれぞれの効果と、マイクロナノバブルの効果を一度に得ることができるので、高い洗浄殺菌効果と、高い治療効果が必要なときに好適に用いることができる。
【符号の説明】
【００５３】
１０，１０ｘ  多目的入浴兼治療装置
１０ａ  浴槽
１０ｂ  介護用浴槽
１０ｃ  昇降式ストレッチャー
１０ｄ  カバー
１１  浄水器
１２  電解水生成装置
１３  第１微細気泡混合器
１３ａ  第１気液混合器
１３ｂ  第１微細化器
１３ｃ  第１ポンプ
１４  第２微細気泡混合器
１４ａ  第２気液混合器
１４ｂ  第２微細化器
１４ｃ  第２ポンプ
１５  混合器
１６  給水排水管
１７  ヒーター
１８１  オゾン発生装置
１８２  ろ過式浴槽保温装置
１９１  マイナスイオン発生器
１９２  気液分離器
１９３  マイクロミスト発生器
１９４  ヒーター
１００  微細化器
１１０  本体部
１１１  側面
１２０  流路
１２１  流入部
１２２  螺旋部
１２３  導水部
１２３ａ  縮径壁
１２３ｂ  円錐部
１２４  流出部
１３０  撹拌部
１３１  軸部
１３２  ガイド壁
１３３  突起部
２００  洗顔洗髪器具
２０１  把持部
２０２  ヘッダ部
２０２ａ  ヘッダ本体部
２０２ｂ  筒部
２０２ｃ  シール部
２０２ｄ  吐出用通水路
２０２ｅ  排水用通水路
２０３  第１配管部
２０４  第２配管部
２１０  口腔洗浄器具
２１１  把持部
２１２  ヘッダ部
２１２ａ  ヘッダ本体部
２１２ｂ  筒部
２１２ｃ  シール部
２１２ｄ  吐出用通水路
２１２ｅ  排水用通水路
２１３  第１配管部
２１４  第２配管部
２２０  アスピレータ
Ｂ１  シャワーヘッド
Ｂ２  蛇口
Ｖ１，Ｖ３〜Ｖ７，Ｖ９〜Ｖ１６  自動弁
Ｖ２  調整弁
Ｖ８，Ｖ１７  自動三方弁
Ｃ１，Ｃ２  循環管路
Ｐ１，Ｐ２  ポンプ
Ｄ  排水口
【図１】
2015213569.tif 000003
【図２】
2015213569.tif 000004
【図３】
2015213569.tif 000005
【図４】
2015213569.tif 000006
【図５】
2015213569.tif 000007
【図６】
2015213569.tif 000008
【図７】
2015213569.tif 000009